(57)【特許請求の範囲】
【請求項１】
複数の階層に画面を表示する表示部と、
前記表示部に表示された画面に対する操作を受け付ける操作部と、
前記表示部の表示内容を制御する制御部と、
を備え、
前記制御部は、前記表示部が所定の階層に表示している画面に対して、設定中の内容を確定し、画面遷移を行う所定の操作を前記操作部が受け付けた場合に、遷移後の画面を前記所定の階層に表示させ、前記所定の操作を受けた画面を前記所定の階層より下位の階層に表示させる
ことを特徴とする操作表示装置。
【請求項２】
前記制御部は、前記表示部が所定の階層に表示している画面に対して、設定中の内容を確定することなく画面遷移を行う操作を受け付けた場合は、遷移後の画面を前記所定の階層に表示させ、前記所定の操作を受けた画面を前記所定の階層より下位の階層に表示させない
ことを特徴とする請求項１に記載の操作表示装置。
【請求項３】
前記表示部は、上位の階層の画面を透過して下位の階層の画面を視認可能に複数の画面を複数の階層に表示する
ことを特徴とする請求項１または２に記載の操作表示装置。
【請求項４】
前記表示部は、複数の階層の画面を３次元で表示する
ことを特徴とする請求項１乃至３のいずれか１つに記載の操作表示装置。
【請求項５】
前記制御部は、前記表示部が所定の階層に第１画面を表示しているときに所定の操作を受けた場合は、前記第１画面と同一内容の画面を前記所定の階層より下位の階層に表示させる
ことを特徴とする請求項１乃至４のいずれか１つに記載の操作表示装置。
【請求項６】
前記制御部は、前記操作部が所定の入れ替え操作を受け付けたら、一の階層に表示されている画面と他の一の階層に表示されている画面とを入れ替える
ことを特徴とする請求項１乃至５のいずれか１つに記載の操作表示装置。
【請求項７】
画像処理部と、
前記画像処理部に行わせる処理内容の設定を受け付ける、請求項１乃至６のいずれか１つに記載の操作表示装置と
を備える
ことを特徴とする画像処理装置。
【請求項８】
複数の階層に画面を表示する表示部と、前記表示部に表示された画面に対する操作を受け付ける操作部とを有する操作表示装置で実行されるプログラムであって、
前記表示部が所定の階層に表示している画面に対して、設定中の内容を確定し、画面遷移を行う所定の操作を前記操作部が受け付けた場合に、遷移後の画面を前記所定の階層に表示させ、前記所定の操作を受けた画面を前記所定の階層より下位の階層に表示させるステップ、
を有する
ことを特徴とするプログラム。
【請求項９】
前記表示部が所定の階層に表示している画面に対して、設定中の内容を確定することなく画面遷移を行う操作を受け付けた場合は、遷移後の画面を前記所定の階層に表示させ、前記所定の操作を受けた画面を前記所定の階層より下位の階層に表示させないステップをさらに有する
ことを特徴とする請求項８に記載のプログラム。
【請求項１０】
前記表示部は、上位の階層の画面を透過して下位の階層の画面を視認可能に複数の画面を複数の階層に表示する
ことを特徴とする請求項８または９に記載のプログラム。
【請求項１１】
前記表示部は、複数の階層の画面を３次元で表示する
ことを特徴とする請求項８乃至１０のいずれか１つに記載のプログラム。
【請求項１２】
前記表示部が所定の階層に第１画面を表示しているときに所定の操作を受けた場合は、前記第１画面と同一内容の画面を前記所定の階層より下位の階層に表示させるステップをさらに有する
ことを特徴とする請求項８乃至１１のいずれか１つに記載のプログラム。
【請求項１３】
前記操作部が所定の入れ替え操作を受け付けたら、一の階層に表示されている画面と他の一の階層に表示されている画面とを入れ替えるステップをさらに有する
ことを特徴とする請求項８乃至１２のいずれか１つに記載のプログラム。
【発明の詳細な説明】
【技術分野】
【０００１】
本発明は、複数の画面を複数の階層に同時に表示可能な操作表示装置、画像処理装置に関する。
【背景技術】
【０００２】
複数の画面を遷移して詳細な設定を行う印刷機等において、一の項目の設定中に以前に設定した他の項目の内容を確認したい場合がある。このとき、該他の項目のある画面にいちいち画面遷移したのでは操作性が良くない。そこで、画面遷移することなく、設定済みの内容を確認可能にする技術が提案されている。
【０００３】
例えば、設定済みの内容を、表示中の画面の特定領域に表示させる方法が考えられる。具体例をあげると、まず、図３３の画面Ａ１にて、「中折り」の釦を選択（設定）し、ＯＫ釦を押下する。次に、図３３の画面Ａ２に遷移し、ステープル「コーナー」の釦を選択（設定）し、ＯＫ釦を押下した後、図３４の画面Ａ３に遷移する。図３４の画面Ａ３では、画面Ａ３で設定可能な内容の他にも、画面Ａ３に遷移する前に設定された「中折り」の釦と、ステープルの位置「コーナー」の釦が画面の右端に表示されており、設定済みであることを確認することができる。ここでは、設定済みの釦はグレー表示される。
【０００４】
また、２Ｄ（Dimensions）のディスプレイで複数階層に画面を表示する技術として、上位の階層のウィンドウの表示画面を透過して、下位の階層のウィンドウの表示画面を確認しつつ、所望のウィンドウに対して操作を行うことのできる技術が提案されている（特許文献１参照）。
【０００５】
他にも、ツリー構造で項目のリストを表示していく階層型メニューにおいて、現在の階層に対してその上下に隣り合う階層（１つ上位の階層と、１つ下位の階層）を表示する際に、階層ごとに異なる透過度を設定して表示し、各階層の識別を容易にする技術が提案されている（特許文献２参照）。
【先行技術文献】
【特許文献】
【０００６】
【特許文献１】特開平９−６２４７３号公報
【特許文献２】特開２０１０−２５７２９０号公報
【特許文献３】特開平１０−２２３１０２号公報
【発明の概要】
【発明が解決しようとする課題】
【０００７】
設定済みの内容を表示中の画面の特定領域に表示させる方法では、図３４の画面Ａ３の例のように、設定済みの内容に対応する「中折り」の釦と、ステープルの位置「コーナー」の釦は表示されているが、それらを設定した画面にあったその他の釦（設定済みでない釦、すなわち、選択可能な他の選択肢）は表示されていないので、ユーザが確認したい情報が必ずしも表示されるわけではない。
【０００８】
また、特許文献１に記載の技術では、下位の階層のウィンドウに表示される画面は、ユーザ自らが表示させるよう指示した画面であるので、その表示指示の手間がかかってしまうという問題が残る。
【０００９】
特許文献２に記載の技術は、深い階層まで入って初めて設定内容が確定するような項目を設定する場合には、その設定過程において、現在の階層と、その１つ上位の階層と、１つ下位の階層が単に表示されるだけである。つまり複数の項目を設定する場合、以前に設定した項目が現在の画面に対して、上位、現在、下位、の３階層に含まれていない場合は、その項目を含む階層は表示されない。よって、ユーザが確認したい項目のある階層が必ず表示されるわけではない。
【００１０】
なお、特許文献３には、立体視映像（３Ｄ構造の映像）によって、複数階層の画面全てに対して操作を可能にするタッチレスキーの機器構成に関する技術が開示されているが、その際に各階層にどのような画面を表示させるのかについては記載されていない。
【００１１】
本発明は、上記の問題を解決しようとするものであり、下位の階層に表示する画面を、ユーザの操作に合わせて自動的に決定して表示することのできる操作表示装置および画像処理装置を提供することを目的としている。
【課題を解決するための手段】
【００１２】
かかる目的を達成するための本発明の要旨とするところは、次の各項の発明に存する。
【００１３】
［１］複数の階層に画面を表示する表示部と、
前記表示部に表示された画面に対する操作を受け付ける操作部と、
前記表示部の表示内容を制御する制御部と、
を備え、
前記制御部は、前記表示部が所定の階層に表示している画面に対して、設定中の内容を確定し、画面遷移を行う所定の操作を前記操作部が受け付けた場合に、遷移後の画面を前記所定の階層に表示させ、前記所定の操作を受けた画面を前記所定の階層より下位の階層に表示させる
ことを特徴とする操作表示装置。
【００１４】
上記発明では、複数の階層に画面を表示可能な表示部を有し、ユーザから所定の操作を受け付けた場合に、その所定の操作に関連する画面を、当該操作を受け付けた画面の下位の階層に表示する。所定の操作に関連する画面を下位の階層に表示するタイミングは、たとえば、第１画面の表示されている階層に表示する画面を第１画面から他の画面に画面遷移させるときでもよいし、所定の操作を受けたときでもよい。
また上記発明では、ユーザの操作によって所定の設定が確定し、画面遷移が行われた場合、その遷移前の画面（設定を確定した画面）を、遷移後の画面の下位の階層に表示する。たとえば、第１階層においてメニュー画面から１または複数回の画面遷移を行って印刷設定における用紙サイズや、仕上がりの種類、白黒/カラー等の設定を確定させたとき、第１階層に表示される画面をメニュー画面に遷移させると共に、その設定を行った画面が第２階層（第１階層の下位の階層）に表示される。これにより、ユーザは設定済みの項目を含む画面を確認しつつ、他の画面に対して操作を行うことができる。
［２］前記制御部は、前記表示部が所定の階層に表示している画面に対して、設定中の内容を確定することなく画面遷移を行う操作を受け付けた場合は、遷移後の画面を前記所定の階層に表示させ、前記所定の操作を受けた画面を前記所定の階層より下位の階層に表示させない
ことを特徴とする［１］に記載の操作表示装置。
上記発明では、設定を確定することなく遷移を行った場合は、その遷移前の画面を下位の階層に表示させない。たとえば、複数の画面遷移を経て目的の項目のある設定画面に至る場合における途中の画面遷移やキャンセル操作を受けた場合の画面遷移などは、設定の確定による画面遷移に該当しない。
【００１５】
［３］前記表示部は、上位の階層の画面を透過して下位の階層の画面を視認可能に複数の画面を複数の階層に表示する
ことを特徴とする［１］または［２］に記載の操作表示装置。
【００１６】
上記発明では、上位の階層に表示された画面を透過して下位の階層に表示された画面を確認できるように画面を表示する。これにより、２次元の表示部に複数の画面を階層的に表示した場合でも、ユーザは複数の画面を同時に視認可能となる。
【００１７】
［４］前記表示部は、複数の階層の画面を３次元で表示する
ことを特徴とする［１］乃至［３］のいずれか１つに記載の操作表示装置。
【００２４】
［５］前記制御部は、前記表示部が所定の階層に第１画面を表示しているときに所定の操作を受けた場合は、前記第１画面と同一内容の画面を前記所定の階層より下位の階層に表示させる
ことを特徴とする［１］乃至［４］のいずれか１つに記載の操作表示装置。
【００２５】
上記発明では、第１階層に表示中の画面を第２階層に表示するか否かをユーザの意思で決定することができる。指定を受けた時点で即座に第１階層に表示中の画面と同一画面を第２階層に表示してもよいし、指定を受けた後に第１階層にて画面遷移が生じるタイミングで第２階層にその指定された画面を表示するようにしてもよい。
【００２６】
［６］前記制御部は、前記操作部が所定の入れ替え操作を受け付けたら、一の階層に表示されている画面と他の一の階層に表示されている画面とを入れ替える
ことを特徴とする［１］乃至［５］のいずれか１つに記載の操作表示装置。
【００２７】
上記発明では、複数の階層に画面が表示されている場合に、それらの階層位置を入れ替えることができる。これにより、ユーザは、より注目したい画面を上位の階層に移動させたりすることができる。また、最上位の階層の画面で操作を受け付ける構成であっても、下位の階層の画面と入れ替えることで、その階層に表示されていた画面に対する操作が可能になる。
【００２８】
［７］画像処理部と、
前記画像処理部に行わせる処理内容の設定を受け付ける、［１］乃至［６］のいずれか１つに記載の操作表示装置と
を備える
ことを特徴とする画像処理装置。
［８］複数の階層に画面を表示する表示部と、前記表示部に表示された画面に対する操作を受け付ける操作部とを有する操作表示装置で実行されるプログラムであって、
前記表示部が所定の階層に表示している画面に対して、設定中の内容を確定し、画面遷移を行う所定の操作を前記操作部が受け付けた場合に、遷移後の画面を前記所定の階層に表示させ、前記所定の操作を受けた画面を前記所定の階層より下位の階層に表示させるステップ、
を有する
ことを特徴とするプログラム。
［９］前記表示部が所定の階層に表示している画面に対して、設定中の内容を確定することなく画面遷移を行う操作を受け付けた場合は、遷移後の画面を前記所定の階層に表示させ、前記所定の操作を受けた画面を前記所定の階層より下位の階層に表示させないステップをさらに有する
ことを特徴とする［８］に記載のプログラム。
［１０］前記表示部は、上位の階層の画面を透過して下位の階層の画面を視認可能に複数の画面を複数の階層に表示する
ことを特徴とする［８］または［９］に記載のプログラム。
［１１］前記表示部は、複数の階層の画面を３次元で表示する
ことを特徴とする［８］乃至［１０］のいずれか１つに記載のプログラム。
［１２］前記表示部が所定の階層に第１画面を表示しているときに所定の操作を受けた場合は、前記第１画面と同一内容の画面を前記所定の階層より下位の階層に表示させるステップをさらに有する
ことを特徴とする［８］乃至［１１］のいずれか１つに記載のプログラム。
［１３］前記操作部が所定の入れ替え操作を受け付けたら、一の階層に表示されている画面と他の一の階層に表示されている画面とを入れ替えるステップをさらに有する
ことを特徴とする［８］乃至［１２］のいずれか１つに記載のプログラム。
【発明の効果】
【００２９】
本発明に係る操作表示装置、画像処理装置によれば、ユーザから受けた操作に関連する画面が下位の階層に自動的に表示される。これにより、たとえば、既に設定した項目に関連する設定値等の確認をスムーズに行うことができる。
【図面の簡単な説明】
【００３０】
【図１】本発明の実施の形態に係る印刷システムを示す説明図である。
【図２】本発明の実施の形態に係る画像処理装置の概略構成を示すブロック図である。
【図３】操作表示部の概略構成を示すブロック図である。
【図４】第１階層画面において、画面Ｂ１（メニュー画面）から画面Ｂ２（用紙選択画面）に遷移する様子を示す説明図である。
【図５】第１階層画面に表示された画面Ｂ３（用紙サイズ入力画面）にて数値を入力する様子を示す説明図である。
【図６】用紙サイズの設定が確定した後の、第１階層に表示された画面Ｂ１（メニュー画面）と、第２階層に表示された画面Ｂ３（用紙サイズ入力画面）を示す説明図である。
【図７】図６の状態を斜め上から見た場合の見え方を示す説明図である。
【図８】図６の状態を３次元表示部の面に垂直な方向（真上）から見た場合の見え方を示す説明図である。
【図９】態様例１における処理の流れを示す流れ図である。
【図１０】第３階層まで画面が表示される場合に各階層に表示される画面を示す説明図である。
【図１１】第１階層、第２階層、第３階層に画面が表示された状態で、３次元表示部の面に垂直な方向（真上）から見た場合の見え方を示す説明図である。
【図１２】図１１の場合に各階層に表示されている画面を示す説明図である。
【図１３】「中折り」が既に設定されている状態で、第１階層に画面Ｄ３（仕上がり設定画面）のみが表示されている様子を示す説明図である。
【図１４】禁則設定の発生により、第２階層に画面Ｄ２（紙折り設定画面）が出現した場合の様子を示す説明図である。
【図１５】態様例２における処理の流れを示す説明図である。
【図１６】第１階層画面において、画面Ｄ１（メニュー画面）から画面Ｄ２（紙折り設定画面）に遷移する様子を示す説明図である。
【図１７】第１階層に表示された画面Ｄ２（紙折り設定画面）にて設定を確定する様子を示す説明図である。
【図１８】「中折り」の設定が確定した後の、第１階層に表示された画面Ｄ１（メニュー画面）と、第２階層に表示された画面Ｄ２（紙折り設定画面）を示す説明図である。
【図１９】第１階層に表示された画面Ｄ３（仕上がり設定画面（項目選択前））と、第２階層に表示された画面Ｄ２（紙折り設定画面）を示す説明図である。
【図２０】第１階層に画面Ｄ３（仕上がり設定画面（項目選択後））が、第２階層に画面Ｄ２（紙折り設定画面）が表示されている際に、ステープル「コーナー」の設定を確定する様子を示す説明図である。
【図２１】図２０の状態を斜め上から見た場合の見え方を示す説明図である。
【図２２】図２０の状態を３次元表示部の面に垂直な方向（真上）から見た場合の見え方を示す説明図である。
【図２３】第１階層に表示された画面Ｄ１（メニュー画面）と、第２階層に表示された画面Ｄ３（仕上がり設定画面（設定確定後））と、第３階層に表示された画面Ｄ２（紙折り設定画面（設定解除後））を示す説明図である。
【図２４】図２３の状態を、斜め上から見た場合の見え方を示す説明図である。
【図２５】図２３の状態を、３次元表示部の面に垂直な方向（真上）から見た場合の見え方を示す説明図である。
【図２６】第１階層に表示された画面Ｆ２（アドレス帳）を示す説明図である。
【図２７】第１階層と第２階層の両方に画面Ｆ２（アドレス帳）が表示されている様子を示す説明図である。
【図２８】第１階層に表示された画面Ｆ１（宛先入力画面）と、第２階層に表示された画面Ｆ２（アドレス帳）を示す説明図である。
【図２９】図２８の状態を、斜め上から見た場合の見え方を示す説明図である。
【図３０】図２８の状態を、３次元表示部の面に垂直な方向（真上）から見た場合の見え方を示す説明図である。
【図３１】態様例４の処理の流れを示す流れ図である。
【図３２】態様例５の処理の流れを示す流れ図である。
【図３３】画面Ａ１、画面Ａ２にて設定を行う様子を示す説明図である。
【図３４】画面Ａ１と画面Ａ２で設定した内容を含む画面Ａ３を示す説明図である。
【発明を実施するための形態】
【００３１】
以下、図面に基づき本発明の実施の形態を説明する。
【００３２】
図１は、本発明の実施の形態に係る印刷システム５を示している。印刷システム５は、本発明に係る操作表示装置としての機能を備えた画像処理装置１０と、複数の外部端末５０がＬＡＮ(Local Area Network)等のネットワークで接続されて構成されている。印刷システム５では、外部端末５０から送信された印刷ジョブを受け付けた画像処理装置１０が、その印刷ジョブを実行する。
【００３３】
画像処理装置１０は、印刷ジョブを受け付けた際には、その印刷ジョブの実行を一時的に保留する。後にユーザからその印刷ジョブの実行に係る設定操作を受け付け、その印刷ジョブの実行に係る設定が確定され、印刷開始の操作を受けたら、その設定内容で当該印刷ジョブを実行するようになっている。
【００３４】
また、画像処理装置１０は、自身に備えられた３次元表示部４５（図３参照）に印刷や本体等の設定に係る各種の画面を表示して、ユーザから操作を受け付ける。３次元表示部４５は、複数の画面を３次元の複数の階層に重ねて表示することが可能であり、その際には、上位の階層の画面を透過して下位の階層の画面の内容を視認可能に表示する。なお、ここでは、ユーザは、複数の画面のうち、最上位の階層（第１階層）の画面に対してのみ操作が可能であるとする。
【００３５】
画像処理装置１０は、最上位の階層に表示中の画面に対する所定の操作を受け付けた際に、その操作に関連する画面を、最上位の階層の１つ下の階層（第２階層）に表示する機能を果たす。所定の操作とは、設定を確定させ、画面を遷移させる操作や、設定済みの項目と禁則関係にある項目を設定する操作等である。このように、所定の操作を受けると、この操作に関連する画面が第２階層に自動で表示されるので、ユーザは、第２階層に表示された関連ある画面を参照しながら最上位の階層の画面に対して操作を行うことができる。
【００３６】
図２は画像処理装置１０の概略構成を示すブロック図である。画像処理装置１０は、当該画像処理装置１０の動作を統括的に制御するＣＰＵ(Central Processing Unit)１１を有している。ＣＰＵ１１にはバスを通じてＲＯＭ(Read Only Memory)１２と、ＲＡＭ(Random Access Memory)１３と、画像読取部１４と、プリンタ部１５と、画像処理部１６と、不揮発メモリ１７と、ハードディスク装置１８と、ファクシミリ通信部１９と、ネットワーク通信部２０と、操作表示部２１などが接続されて構成されている。
【００３７】
ＣＰＵ１１は、ＯＳ（Operating System）プログラムをベースとし、その上で、ミドルウェアやアプリケーションプログラムなどを実行する。また、ＣＰＵ１１は、操作表示部２１の表示内容を制御する制御部としての機能を果たす。
【００３８】
ＲＯＭ１２には、各種のプログラムが格納されており、これらのプログラムに従ってＣＰＵ１１が各種処理を実行することで画像処理装置１０の各機能が実現される。また、ＲＯＭ１２には、前述の制御部としての一連の制御をＣＰＵ１１が実行するためのプログラムが格納されている。
【００３９】
ＲＡＭ１３は、ＣＰＵ１１がプログラムに基づいて処理を実行する際に各種のデータを一時的に格納するワークメモリや画像データを格納する画像メモリなどとして使用される。
【００４０】
画像読取部１４は、原稿を光学的に読み取って画像データを取得する機能を果たす。画像読取部１４は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００４１】
プリンタ部１５は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００４２】
画像処理部１６は、画像の拡大縮小、回転などの処理のほか、印刷データをイメージデータに変換するラスタライズ処理、画像データの圧縮、伸張処理などを行う。
【００４３】
不揮発メモリ１７は、電源をオフにしても記憶内容が破壊されないメモリ（フラッシュメモリ）であり、各種設定情報の保存などに使用される。ハードディスク装置１８は、大容量の不揮発の記憶装置であり、ＯＳプログラムや各種アプリケーションプログラム、印刷データや画像データ、ジョブに係る情報や履歴などが保存される。
【００４４】
ファクシミリ通信部１９は、ファクシミリ機能を備えた外部装置と公衆回線を通じて画像データを送受信する機能を果たす。
【００４５】
ネットワーク通信部２０は、ＬＡＮなどのネットワークを通じて外部端末５０やその他の外部装置との間でデータを通信する機能を果たす。
【００４６】
図３は、操作表示部２１の概略構成を示している。操作表示部２１は、３次元表示部４５とタッチパネル部４２と、スイッチ部４３を備えて構成されている。
【００４７】
３次元表示部４５は、表示面を透過してその向こう側を視認することができる有機ＥＬ（Electro Luminescence）シースルーディスプレイ等のディスプレイを、互いの間隔を少しあけて（たとえば３ｃｍ）複数枚重ねて構成される。そして、各階層のディスプレイに各種の操作画面、設定画面などを表示する機能を果たす。複数の階層に同時に画面を表示する際には、ユーザは上位の階層の（上側の）ディスプレイに表示された画面を透過して下位の階層（下側の）のディスプレイに表示された画面を視認することができる。通常は、最上位の階層のディスプレイにのみ画面を表示するが、ユーザから所定の操作を受け付けた場合に、下位の階層に、その所定の操作に関連ある画面を表示する。
【００４８】
ここでは、３次元表示部４５は３枚のディスプレイを重ねて構成されている。上から順に第１階層（第１階層ディスプレイ４５ａ）、第２階層（第２階層ディスプレイ４５ｂ）、第３階層（第３階層ディスプレイ４５ｃ）とする。
【００４９】
スイッチ部４３はスタートボタンなどの少数の機械的スイッチで構成される。タッチパネル部４２は、タッチペンや指などが第１階層ディスプレイ４５ａの表示面上に触れたタッチ位置（座標位置）を検出する。ＣＰＵ１１は、継続的に検出されるタッチ位置の変化から、フリック操作やドラッグ操作などを認識する。フリック操作は、指などでディスプレイをタッチした後、その指を跳ねるように動作させる操作である。たとえば、ＣＰＵ１１はフリック操作における跳ねる動作の方向を検出し、その方向に画面をスクロール表示させる。
【００５０】
これより、第２階層に画面が自動で表示される場合（所定の操作を受け付けた場合）の動作を、態様例別に説明する。
【００５１】
＜態様例１＞
（設定が確定し、画面遷移が起こる場合）
態様例１では、上記の所定の操作を、設定が確定し、画面遷移を行うような操作とし、その操作が行われた際に、その操作を受け付けた画面を第２階層に表示し、遷移後の画面を第１階層に表示する。
【００５２】
具体例を挙げて説明する。図４に示す画面Ｂ１は、設定を開始する際の初期画面となるメニュー画面である。ユーザは項目釦７１を押下することでその項目に関する設定を確定させたり、その項目の詳細を設定するための別画面に画面遷移させたりすることができる。またユーザは印刷開始釦７０を押下することで、保留中の印刷ジョブの実行を開始させることができる。設定内容を変更しないで印刷ジョブの実行を開始させた場合は、デフォルトの設定で印刷ジョブが実行される。
【００５３】
第１階層に表示された画面Ｂ１（メニュー画面）にて用紙キー７１Ａが押下されると、その詳細を設定するための画面Ｂ２（用紙選択画面）に第１階層の表示が遷移する。画面Ｂ２は、用紙の種類の選択を受ける用紙選択画面である。画面Ｂ２（用紙選択画面）にて、不定形キー７１Ｂが押下されると、図５に示す画面Ｂ３（用紙サイズ入力画面）に第１階層の表示が遷移する。
【００５４】
画面Ｂ３は、不定形の用紙サイズを数値で受け付ける画面である。画面Ｂ３においてユーザは用紙サイズを入力する。ユーザは、用紙の縦方向の長さ（Ｙ）と横方向の長さ（Ｘ）の値を入力欄７３、７４に入力したら（図中では、用紙サイズとしてＹ＝１３６mm、Ｘ＝５０mmの値を入力している。）、ＯＫキー７２を押下する。ＣＰＵ１１は、ＯＫキー７２が押下されたら、用紙サイズの設定を確定させて、第１階層の表示を画面Ｂ１（メニュー画面）に遷移させる。
【００５５】
図６は、用紙サイズの設定を確定させる操作を受けて第１階層の表示を画面Ｂ１（メニュー画面）に遷移させた際に第１階層および第２階層に表示される画面を平面的に並置して示している。第１階層に画面Ｂ１（メニュー画面）が表示されると共に、用紙サイズの設定が確定したので、第２階層にその設定を確定させる操作を受けた画面Ｂ３（用紙サイズ入力画面）が表示される。
【００５６】
図７は、図６に示す２つの画面が３次元表示部４５の第１階層ディスプレイ４５ａと第２階層ディスプレイ４５ｂに３次元表示されている状態を斜め上から見た様子を示している。図８は、図６の２つの画面が３次元表示部４５の第１階層ディスプレイ４５ａと第２階層ディスプレイ４５ｂに表示されている状態を第１階層ディスプレイ４５ａの真上から見た様子を示している。ユーザは、第２階層に表示されている画面の内容を確認しつつ、第１階層の画面への操作を行うことができる。すなわち、直前に設定を確定させた操作画面の内容を第２階層で確認しつつ、その確定によって遷移した画面に対する操作を第１階層にて行うことができる。
【００５７】
図９は、態様例１における処理の流れを示している。まず、第１階層に表示されている画面に対する操作をユーザから受ける（ステップＳ１０１）。この操作によって設定が確定されるか否かを調べ、設定が確定される場合は（ステップＳ１０２；Ｙｅｓ）、カレント画面（操作を受けた時点で第１階層に表示していた画面）を第２階層に表示し（ステップＳ１０４）、第１階層にはステップＳ１０１で受けた操作に従って遷移した後の画面を表示し（ステップＳ１０５）、ステップＳ１０１に戻って処理を継続する。
【００５８】
ステップＳ１０１で受けた操作の内容が、設定を確定するものではない場合は（ステップＳ１０２；Ｎｏ）、その操作がジョブの実行を開始させる操作か否かを調べる（ステップＳ１０３）。ジョブの実行を開始させる操作ならば（ステップＳ１０３；Ｙｅｓ）、ジョブを実行し（ステップＳ１０６）、本処理を終了する。ジョブの実行を開始させる操作でない場合は（ステップＳ１０３；Ｎｏ）、ステップＳ１０１で受けた操作の内容に従って第１階層の画面を変更表示し（ステップＳ１０５）、ステップＳ１０１に戻って処理を継続する。この場合、第１階層に表示する画面を別の画面に遷移させる（たとえば、図４の画面Ｂ２で不定形釦７１Ｂの操作を受けた場合）、あるいは、同一画面にて表示内容を変更する（たとえば、図５の画面Ｂ３で入力欄７３、７４に対して数値入力を受けた場合）といった表示の変更が行われる。
【００５９】
なお、ジョブの実行が完了したら、下位の階層の画面の表示を中止し、設定をデフォルトにする。ジョブが実行された場合は、このジョブの実行に係る設定内容を設定履歴として保存する。設定履歴の保存では、ジョブ開始の操作を受けた際に３次元表示部４５の各階層に表示されていた画面を再現可能な情報が保存される。設定履歴を読み出して、設定内容を再現させる際には、ジョブ開始の操作を受けた際に３次元表示部４５の各階層に表示されていた画面をその状態で再現する。
【００６０】
ステップＳ１０４にて、第２階層に既に画面の表示が行われていた場合は、その時点で第２階層に表示されていた画面を１つ下の階層に表示させ、カレント画面を第２階層に表示させる。図１０は、図９の処理において、複数の設定（ここでは２つとする）が順次確定した場合に、各階層に表示される画面を示している。複数の設定が確定している場合は、最新の確定した設定を受け付けた画面８２が第２階層に表示され、最新の確定した設定の１つ前に確定した設定を受け付けた画面８３が第３階層に表示される。最新の確定した設定を受けた画面８２からこの確定によって遷移した後の画面８１が第１階層に表示される。
【００６１】
また、第２階層、第３階層に表示されている画面を、第１階層に表示させたいときは、第１階層の画面内で上下方向のフリック操作を行い、カレント画面を下位の階層に表示されている画面と入れ替える。所定の入れ替え釦を第１階層の画面に設置し、入れ替え釦が押下されたらカレント画面を下位の階層に表示されている画面と入れ替えるようにしてもよい。カレント画面を、下位の階層に表示されている画面と入れ替える際には、第２階層以下の階層に表示されている画面を１つ繰り上げた階層に表示し、カレント画面は最下層の階層に表示する。つまり、図１０のように第３階層まで画面を表示中の場合は、第２階層に表示されていた画面が第１階層に表示され（カレント画面になる）、第３階層に表示されていた画面が第２階層に表示され、第１階層に表示されていた画面が第３階層に表示される。
【００６２】
なお、入れ替えた画面では、設定済みの内容を変更することができる。入れ替えた画面で設定中の内容を変更し、その内容で設定を確定した場合は、新たに下位の階層に画面を出現させることなく、入れ替え前の配置で各階層に画面を表示する。たとえば、図６の状態で第１階層の画面と第２階層の画面を入れ替え、用紙サイズを再度入力し、設定を確定した場合は、その設定を確定した画面Ｂ３が第２階層に移動し、第２階層で表示していた画面Ｂ１が第１階層に移動する。
【００６３】
本発明の実施の形態では、複数階層に画面を表示する場合、各階層の画面の識別を容易にする為に、各階層を異なる透過度で表示している。
【００６４】
たとえば、図１１は、図１２に示す３つの画面（画面Ｃ１、画面Ｃ２、画面Ｃ３、）が３次元表示部４５の第１階層ディスプレイ４５ａと第２階層ディスプレイ４５ｂと第３階層ディスプレイ４５ｃに表示されている状態を第１階層ディスプレイ４５ａの真上から見た様子を示している。ここでは、画面Ｃ１は透明度８０％、画面Ｃ２は透明度６０％、画面Ｃ３は透明度０％で表示されており、各階層の画面を容易に識別することができる。なお、図１２は、画面Ｃ１、画面Ｃ２、画面Ｃ３を平面的に並置して示している。
【００６５】
＜態様例２＞
（禁則設定が発生する場合）
態様例２では、上記の所定の操作を、設定済みの第１項目と禁則関係にある第２項目を設定する操作とし、その操作が行われた際に、第１項目を含む画面を第２階層に表示させる。ここでは、同時に設定している状態ではジョブの実行が不可能な項目の関係を禁則関係と呼ぶ。たとえば、項目Ａと項目Ｂの両方を設定している状態では、ジョブの実行が不可能な場合、その項目Ａと項目Ｂは禁則関係である。なお、禁則関係となる項目が同時に設定されている状態を禁則設定と呼ぶ。
【００６６】
具体例を挙げて説明する。図１３に示す画面Ｄ３は、仕上がり（ステープルの有無および箇所や、穴あけの有無）の設定を受け付ける画面である。ここでは、画面Ｄ３（仕上がり設定画面）に遷移してくる以前に、他の画面（図１４の画面Ｄ２）で「中折り」を設定済みである。また、態様例２では、設定が確定して画面を遷移しても、その設定を確定した画面は第２階層に表示されない。
【００６７】
ステープルコーナーキー７１Ｃが押下されたら、既に設定されている「中折り」とステープル「コーナー」は禁則関係なので、第２階層に「中折り」を設定した画面である画面Ｄ２（紙折り設定画面）を出現させる。画面Ｄ２（紙折り設定画面）は、紙折りの有無、およびその折り方等の設定を受け付ける画面である。
【００６８】
図１４は、第２階層に画面Ｄ２（紙折り設定画面）を表示させた際に、第１階層および第２階層に表示される画面を平面的に並置して示している。この時、第１階層の画面Ｄ３（仕上がり設定画面）の上部に禁則設定が発生した旨の通知が表示される。ここでは、ＣＰＵ１１は「中折り」とステープル「コーナー」のいずれか一方の設定が解除されるまでは（禁則設定が発生している最中は）、ＯＫキー７２が押下されても設定を確定しない。
【００６９】
図１５は、態様例２における処理の流れを示している。まず、第１階層に表示されている画面に対する操作をユーザから受ける（ステップＳ２０１）。この操作によって、新たに禁則設定が発生した場合（ステップＳ２０２；Ｙｅｓ）、ステップＳ２０１の操作により設定された項目と禁則関係にある項目を含む画面を第２階層に表示し（ステップＳ２０４）、ステップＳ２０１に戻り処理を継続する。
【００７０】
新たな禁則設定が発生しなければ（ステップＳ２０２；Ｎｏ）、その操作がジョブの実行を開始させる操作か否かを調べる（ステップＳ２０３）。ジョブの実行を開始させる操作ならば（ステップＳ２０３；Ｙｅｓ）、ジョブを実行し（ステップＳ２０５）、本処理を終了する。
【００７１】
ジョブの実行を開始させる操作でなければ（ステップＳ２０３；Ｎｏ）、ステップＳ２０１に戻って処理を継続する。
【００７２】
なお、禁則設定の発生により第２階層に出現した画面は、禁則設定が解除されても、ジョブの実行が完了するか、ユーザの指示によってその表示を消去されるまで、継続して表示される。ここでも、態様例１と同様に、ジョブの実行が完了したら、下位の階層の画面の表示を中止し、設定をデフォルトにする。
【００７３】
ステップＳ２０１の操作によって設定された項目と禁則関係にある項目を含む画面が複数ある場合は、第２階層だけではなく第３階層も使用してそれらの画面を表示する。
【００７４】
＜態様例３＞
（態様例１＋態様例２の場合）
態様例１と態様例２の組み合わせである態様例３では、設定を確定し、画面を遷移する操作を受けた場合と、設定済みの第１項目と禁則関係にある第２項目を設定する操作を受けた場合に、下位の階層にその操作に関連する画面を出現させる。
【００７５】
ここでは、禁則設定が発生することなく設定が確定され、画面を遷移した場合には、その遷移前の画面が第２階層に表示される。また、設定済みである第１項目と禁則関係である第２項目の設定が確定され、画面を遷移した場合には、第１階層に遷移後の画面が表示され、第２階層に´第２項目を含む画面が表示され、第３階層に第１項目を含む画面が表示される。なお、この際に、第１項目の設定は自動的に解除される。
【００７６】
具体例を挙げて説明する。図１６に示す画面Ｄ１（メニュー画面）は、図４に示す画面Ｂ１と同様に、設定を開始する際の初期画面となるメニュー画面である。第１階層に表示された画面Ｄ１（メニュー画面）にて、紙折りキー７１Ｄが押下されると、その項目の詳細を設定するための画面Ｄ２（紙折り設定画面）に第１階層の表示が遷移する。画面Ｄ２は、態様例２の時と同じく、紙折りの有無、およびその折り方等の設定を受け付ける画面である。
【００７７】
次にユーザは画面Ｄ２（紙折り設定画面）にて中折りキー７１Ｅを押下したら、ＯＫキー７２を押下する。図１７は、中折りが設定された状態の画面Ｄ２を示している。ＣＰＵ１１は、ＯＫキー７２が押下されたら、中折りの設定を確定させて、第１階層の表示を画面Ｄ１（メニュー画面）に遷移させる。
【００７８】
図１８は、中折りの設定を確定させる操作を受けて第１階層の表示を画面Ｄ１（メニュー画面）に遷移させた際に、第１階層および第２階層に表示される画面を平面的に並置して示している。第１階層に画面Ｄ１（メニュー画面）が表示されると共に、中折りの設定が確定したので、第２階層にその設定を確定させる操作を受けた画面Ｄ２（紙折り設定画面）が表示される。
【００７９】
その後、画面Ｄ１（メニュー画面）にて仕上がりキー７１Ｆが押下されると、その詳細を設定するための画面Ｄ３（仕上がり設定画面）に第１階層の表示が遷移する。この画面Ｄ３は態様例２で説明した画面と同じく、仕上がりの設定を受け付ける画面である。図１９は、第１階層の表示を画面Ｄ３（仕上がり設定画面）に遷移させた際に、第１階層および第２階層に表示される画面を平面的に並置して示している。第２階層では画面Ｄ２の表示が維持される。
【００８０】
次にユーザは画面Ｄ３（仕上がり設定画面）にてステープルコーナーキー７１Ｃを押下したら、ＯＫキー７２を押下する。ＣＰＵ１１は、ＯＫキー７２が押下されたら、ステープル「コーナー」の設定を確定させて、第１階層の表示を画面Ｄ１（メニュー画面）に遷移させる。ここでは、ステープル「コーナー」と「中折り」は態様例２の時と同じく禁則関係とする。
【００８１】
図２０には、ステープルコーナーキー７１Ｃが押下された後であって、ＯＫキー７２が押下される前の状態で、第１階層および第２階層に表示される画面を平面的に並置して示している。ここでは、ステープル「コーナー」の設定が確定される前なので、第２階層の画面Ｄ２（紙折り設定画面）の「中折り」も設定されている状態である。
【００８２】
図２１は、図２０に示す２つの画面が３次元表示部４５の第１階層ディスプレイ４５ａと第２階層ディスプレイ４５ｂに３次元表示されている状態を斜め上から見た様子を示している。図２２は、図２０の２つの画面が３次元表示部４５の第１階層ディスプレイ４５ａと第２階層ディスプレイ４５ｂに表示されている状態を第１階層ディスプレイ４５ａの真上から見た様子を示している。ここでは、まだ画面Ｄ３（仕上がり設定画面）にてステープル「コーナー」の設定が確定される前なので、「中折り」も設定されている状態である。
【００８３】
図２３は、ステープル「コーナー」の設定を確定させる操作を受けて第１階層の表示を画面Ｄ１（メニュー画面）に遷移させた際に、第１階層、第２階層および第３階層に表示される画面を平面的に並置して示している。第１階層に画面Ｄ１（メニュー画面）が表示されると共に、第２階層には、ステープル「コーナー」の設定（最新の設定）を確定した画面Ｄ３（仕上がり設定画面）が表示される。第３階層には、ステープル「コーナー」の設定が確定する前に、第２階層に表示されていた画面Ｄ２（紙折り設定画面）が表示されている。
【００８４】
また、画面Ｄ２（紙折り設定画面）の「中折り」は、新たに設定されたステープル「コーナー」と禁則関係である為、自動的に設定を解除されている。このように、新規に第１項目の設定を確定した際に、その第１項目が、設定済みである第２項目と禁則関係にある場合、後から設定した項目の設定（第１項目の設定）が優先され、以前に設定した項目の設定（第２項目の設定）は解除される。
【００８５】
図２４は、図２３に示す３つの画面が３次元表示部４５の第１階層ディスプレイ４５ａと第２階層ディスプレイ４５ｂと第３階層ディスプレイ４５ｃに３次元表示されている状態を斜め上から見た様子を示している。図２５は、図２３の３つの画面が３次元表示部４５の第１階層ディスプレイ４５ａと第２階層ディスプレイ４５ｂと第３階層ディスプレイ４５ｃに表示されている状態を第１階層ディスプレイ４５ａの真上から見た様子を示している。ここでは、ステープル「コーナー」の設定が確定し、ステープル「コーナー」と禁則関係である「中折り」が、自動的に解除された状態である。
【００８６】
＜態様例４＞
（ユーザが手動で、第２階層に残す画面を選択する場合）
態様例４では、ユーザから第１階層の画面と同一内容の画面を第２階層に表示させる操作（画面保持操作とする）を受け付けたら、その画面保持操作が行われた画面と同一の画面を第２階層に表示する。ここでは第１階層の画面内での左右方向へのフリック操作を画面保持操作とする。
【００８７】
具体例を挙げて説明する。図２６に示す画面Ｆ２は、アドレス帳を表示する画面である。ユーザは、第１階層に表示されている画面Ｆ２内で左右方向へのフリック操作（画面保持操作）を行う。ＣＰＵ１１は、第１階層の画面内で左右方向へのフリック操作を受け付けたら、第１階層の画面（ここでは画面Ｆ２）と同一内容の画面を第２階層に表示させる。
【００８８】
図２７は、画面保持操作を受けて、第２階層に第１階層の画面と同一内容の画面を表示された際に第１階層および第２階層に表示される画面を平面的に並置して示している。第１階層に画面Ｆ２が表示されると共に、第２階層にも画面Ｆ２が表示される。
【００８９】
その後、第１階層の画面Ｆ２にて戻るキー７１Ｇが押下されると、第１階層の表示が画面Ｆ１（宛先入力画面）に遷移する。画面Ｆ１は、アドレスの入力を受け付ける画面である。
【００９０】
図２８は、戻るキー７１Ｇを押下され、第１階層の表示を画面Ｆ１（宛先入力画面）に遷移させた際に第１階層および第２階層に表示される画面を平面的に並置して示している。第２階層には、画面Ｆ２（アドレス帳）が視認可能に表示されているので、ユーザは、第１階層に表示されている画面Ｆ１（宛先入力画面）にて、第２階層の画面Ｆ２を参照しつつ、アドレスの入力を行うことができる。
【００９１】
図２９は、図２８に示す２つの画面Ｆ１、Ｆ２が３次元表示部４５の第１階層ディスプレイ４５ａと第２階層ディスプレイ４５ｂに３次元表示されている状態を斜め上から見た様子を示している。図３０は、図２８の２つの画面Ｆ１、Ｆ２が３次元表示部４５の第１階層ディスプレイ４５ａと第２階層ディスプレイ４５ｂに表示されている状態を第１階層ディスプレイ４５ａの真上から見た様子を示している。
【００９２】
図３１は、態様例４の処理の流れを示す。まず、第１階層に表示されている画面に対する操作をユーザから受ける（ステップＳ３０１）。この操作が、カレント画面と同一内容の画面を第２階層に表示させる操作であれば（ステップＳ３０２；Ｙｅｓ）、カレント画面と同一内容の画面を第２階層に表示し（ステップＳ３０４）、第１階層にはステップＳ３０１で受けた操作に従って画面（ここではステップＳ３０１の操作前と同一の画面）を表示し（ステップＳ３０５）、ステップＳ３０１に戻って処理を継続する。
【００９３】
ステップＳ３０１で受けた操作が、カレント画面と同一内容の画面を第２階層に表示させる操作でなければ（ステップＳ３０２；Ｎｏ）、その操作がジョブの実行を開始させる操作か否かを調べる（ステップＳ３０３）。
【００９４】
ジョブの実行を開始させる操作ならば（ステップＳ３０３；Ｙｅｓ）、ジョブを実行し（ステップＳ３０６）、本処理を終了する。ジョブの実行を開始させる操作でない場合は（ステップＳ３０３；Ｎｏ）、ステップＳ３０１で受けた操作の内容に従って第１階層の画面を変更表示し（たとえば、アドレスの入力を受けて入力欄に入力内容を表示したり、第１階層の表示を他の画面に遷移させる。）（ステップＳ３０５）、ステップＳ３０１に戻って処理を継続する。
【００９５】
ここでも、Ｓ３０４にて、第２階層に既に画面が表示されている場合は、その時点で第２階層に表示されている画面を１階層繰り下げた第３階層に表示し、第２階層にカレント画面と同一内容の画面を表示する。また、ジョブの実行が完了したら、下位の階層の画面の表示を中止する。
【００９６】
なお、以下のような態様例があってもよい。
＜態様例５＞
（ユーザの操作、設定に合わせて関連する画面が自動で現れる場合）
ここでは、ユーザが印刷設定や、アドレス入力等の設定操作を行っている際に、その操作を行うに当たり、ユーザにとって有益と思われる画面を自動で第２階層に表示する。
【００９７】
たとえば、３次元表示部４５に、第１階層に画面Ｆ１（宛先入力画面）（図２８参照）のみが表示されている際に、ユーザが宛先の入力欄７５を押下し、アドレスの入力を開始する。ＣＰＵ１１は、宛先の入力欄７５が押下されたら、その操作に関連する画面として、第２階層に画面Ｆ２（アドレス帳）を表示する。ここでは、ユーザは、第１階層に表示されている画面Ｆ１（宛先入力画面）にて、第２階層の画面を参照しつつ、アドレスの入力を行うことができる。
【００９８】
関連する画面は操作のパターンごとに、ハードディスク装置１８に予め登録されている。なお、ユーザはこの登録内容を変更することができる。
【００９９】
図３２は、態様例５の処理の流れを示す。まず、第１階層に表示されている画面に対する操作をユーザから受ける（ステップＳ４０１）。この操作に関連する画面があるか否かを調べ、関連する画面が有る場合は（ステップＳ４０２；Ｙｅｓ）、その画面を第２階層に表示し（ステップＳ４０４）、第１階層にはステップＳ４０１で受けた操作に従って第１階層の画面を変更表示し（ステップＳ４０５）、ステップＳ４０１に戻って処理を継続する。
【０１００】
ステップＳ４０１で受けた操作に関連する画面が無ければ（ステップＳ４０２；Ｎｏ）、その操作がジョブの実行を開始させる操作か否かを調べる（ステップＳ４０３）。
【０１０１】
ジョブの実行を開始させる操作ならば（ステップＳ４０３；Ｙｅｓ）、ジョブを実行し（ステップＳ４０６）、本処理を終了する。ジョブの実行を開始させる操作でない場合は（ステップＳ４０３；Ｎｏ）、ステップＳ４０１で受けた操作の内容に従って第１階層の画面を変更表示し（ステップＳ４０５）、ステップＳ４０１に戻って処理を継続する。
【０１０２】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０３】
態様例３のように、本発明の実施の形態における態様例は組み合わせて使用してもよい、ただし整合性のとれる範囲内で行う。たとえば、態様例１と態様例３の組み合わせは可能である。
【０１０４】
本発明の実施の形態では、下位の階層に画面を表示させる場合、下位の階層に表示する画面の中の最新の画面を第２階層に表示していたが、予め画面ごとに優先度を設定しておき、優先度の高い画面を第２階層（優先度２番目は第３階層、３番目は第４階層）に表示してもよい。
【０１０５】
本発明の実施の形態では、ジョブの実行が完了した際に下位の階層の画面表示を自動的に消去（リセット）していたが、ユーザからの消去操作を受けて消去するようにしてもよい。たとえば、ユーザが、上下方向のフリック操作によって消去したい下位層の画面を第１階層まで移動させた後、この第１階層の画面に対してピンチアウト等の消去操作を行うと、該画面が消去されるように構成する。これにより、ユーザは所望する画面の表示を消去することができる。他にも、たとえば、第１階層の画面上に、下位層消去釦を配置し、この下位層消去釦が押下されると、第２階層以下の全ての階層の表示を消去するように構成してもよい。
【０１０６】
本発明の実施の形態では、画像処理装置１０を例に説明したが、本発明の操作表示装置は別の形態であってもよい。ＣＰＵ１１と、ＲＯＭ１２と、ＲＡＭ１３と、不揮発メモリ１７と、ネットワーク通信部２０と、操作表示部２１とを備えた操作表示装置単体であってもよい。
【０１０７】
本発明の実施の形態では、階層は第３階層までであったが、階層の数はこれに限らない。２階層以上であればよい。
【０１０８】
本発明の実施の形態では、第１階層に表示されている画面にのみ操作が可能であったが、全ての階層の画面に対して操作が可能な形態であってもよい。その場合、操作を行った画面のある階層よりも下位の階層にその操作に関連する画面を出現させればよい。
【０１０９】
本発明の実施の形態では、複数枚のディスプレイを互いの間隔を少しあけて重ねて構成された３次元表示部４５に画面を３次元の階層構造で表示していたが、２次元の表示装置の表示面に、複数の画面が階層的に重なっているように表示してもよい。
【０１１０】
実施の形態では、態様例４において（図２７参照）、第１階層の画面への画面保持操作を受け付けた直後に下位の階層にその画面を表示させていたが、第１階層の画面への画面保持操作を受け付けた後に画面を遷移させた際に、下位の階層にその画面保持操作を受けた画面を表示させるようにしてもよい。
【０１１１】
実施の形態では、態様例２において、禁則関係にある第１項目と第２項目は異なる画面に配置されていたが（図１４参照）、第１項目と第２項目が同一画面に配置されていてもよい。同一画面に配置されている第１項目と第２項目との禁則設定が発生した場合、第１項目と第２項目を含む画面を第１階層と第２階層の両方の階層に表示してもよい。
【０１１２】
画面に表示されている項目への操作は、タッチ装置に限定されず、たとえば、第１階層の画面上にカーソルを表示し、カーソルの位置をマウスなどのポインティングデバイスで釦の上に移動させてクリック操作を受けることでその釦に対する操作を受けるようにしてもよい。
【０１１３】
本実施の形態では、ディスプレイに画面を表示させていたが、立体視映像（３Ｄ構造の映像）等によって、３次元で複数の階層に画面を表示してもよい。
【０１１４】
本実施の形態では、ユーザは、第１階層に表示されている画面に対してのみ操作が可能であったが、第２階層や、第３階層に表示されている画面に対して直接操作を行うことができる構成であってもよい。
【０１１５】
画面の入れ替えは、第１階層と、第３階層とを入れ替えるのみ（第２階層はそのまま）というように、２つの画面を直接入れ替えるものであってもよい。
【符号の説明】
【０１１６】
５…印刷システム
１０…画像処理装置
１１…ＣＰＵ
１２…ＲＯＭ
１３…ＲＡＭ
１４…画像読取部
１５…プリンタ部
１６…画像処理部
１７…不揮発メモリ
１８…ハードディスク装置
１９…ファクシミリ通信部
２０…ネットワーク通信部
２１…操作表示部
４２…タッチパネル部
４３…スイッチ部
４５…３次元表示部
４５ａ…第１階層ディスプレイ
４５ｂ…第２階層ディスプレイ
４５ｃ…第３階層ディスプレイ
５０…外部端末
７０…印刷開始釦
７１…項目釦
７１Ａ…用紙キー
７１Ｂ…不定形キー
７１Ｃ…コーナーキー
７１Ｄ…紙折りキー
７１Ｅ…中折りキー
７１Ｆ…仕上がりキー
７１Ｇ…戻るキー
７２…ＯＫキー
７３…入力欄（Ｘ値）
７４…入力欄（Ｙ値）
７５…宛先の入力欄
８１…遷移した後の画面
８２…最新の確定した設定を受け付けた画面
８３…最新の確定した設定の１つ前に確定した設定を受け付けた画面
【図１】
0005939437.tif 000002
【図２】
0005939437.tif 000003
【図３】
0005939437.tif 000004
【図９】
0005939437.tif 000005
【図１０】
0005939437.tif 000006
【図１５】
0005939437.tif 000007
【図３１】
0005939437.tif 000008
【図３２】
0005939437.tif 000009
【図４】
0005939437.tif 000010
【図５】
0005939437.tif 000011
【図６】
0005939437.tif 000012
【図７】
0005939437.tif 000013
【図８】
0005939437.tif 000014
【図１１】
0005939437.tif 000015
【図１２】
0005939437.tif 000016
【図１３】
0005939437.tif 000017
【図１４】
0005939437.tif 000018
【図１６】
0005939437.tif 000019
【図１７】
0005939437.tif 000020
【図１８】
0005939437.tif 000021
【図１９】
0005939437.tif 000022
【図２０】
0005939437.tif 000023
【図２１】
0005939437.tif 000024
【図２２】
0005939437.tif 000025
【図２３】
0005939437.tif 000026
【図２４】
0005939437.tif 000027
【図２５】
0005939437.tif 000028
【図２６】
0005939437.tif 000029
【図２７】
0005939437.tif 000030
【図２８】
0005939437.tif 000031
【図２９】
0005939437.tif 000032
【図３０】
0005939437.tif 000033
【図３３】
0005939437.tif 000034
【図３４】
0005939437.tif 000035